(57)【要約】      （修正有）【課題】部品数の減少、部品の金型の統合を行うことにより、電源コンセントの組立性向上、コスト削減、組立の効率向上につながる実質的効果を持つ電源コンセント構造を提供する。【解決手段】電源端子２２と接地端子２３をそれぞれ、一つずつシェル２０の嵌合溝２０２と切り欠き２０３に、電源スイッチ２１２をパネル２１の収納空間２１１内に装着する。また、該パネル２１は、透明材料で作られたもので、組立完了の電源コンセント１は、パネル２１から見られる内部の電源端子２２、接地端子２３などの配置により、視覚的に新しいイメージを与え、流行りやモダンな美的センスにも一致している。【選択図】図３
0003172606.tif 000002
【実用新案登録請求の範囲】
【請求項１】
Ｔ形のシェルが備わり、片側はＴ形シェルの横部分を見せる二つの対向した収納スロット、Ｔ形シェルの縦部分を見せる二つの対向した嵌合溝、及び二嵌合溝に挟まれている切り欠きが設けられ、他方側は、三組の線孔が設けられ、該二収納スロットと切り欠きにそれぞれ対応、それらを貫通するように設けられており、
シェルの外形に合わせ、相互に結合可能なパネルが備わり、片側は、Ｔ形パネルの横部分を見せる電源スイッチの収納空間、Ｔ形パネルの縦部分を見せる複数のスロット、他方側は、一組以上配列しているプラグ受けが設けられており、
一個以上のプラス極の接点があり、連続して間隔を置いてシェルの嵌合溝内に設けられ、そして、一個以上のマイナス極の接点があり、連続して間隔を置いてシェルのもう一つの嵌合溝内に設けられてなる電源端子が備わり、及び
一個以上の接点があり、連続して間隔を置いて、シェルの切り欠き内に設けられてなる接地端子が備わっていることを特徴とする電源コンセント構造の改良。
【請求項２】
電源接点のプラス極、マイナス極の接点は、電源スイッチに接続するものが含まれていることを特徴とする請求項１に記載の電源コンセント構造の改良。
【請求項３】
該パネルは、透明材料で作られていることを特徴とする請求項１または２に記載の電源コンセント構造の改良。
【請求項４】
各組のプラグ受けはすべて、中性線、生線と接地線が設けられていることを特徴とする請求項１または２に記載の電源コンセント構造の改良。
【考案の詳細な説明】
【技術分野】
【０００１】
本考案は、電源コンセントの構造と機能の改良に関わり、特に、構造を簡単化し、組み立てやすく、コスト削減につなげ、一部の部品を透明な視覚効果設計を使用して設けられている電源コンセント構造の改良に関する。
【背景技術】
【０００２】
よく見られる室内の壁式電源コンセントは、図１に示すように、該電源コンセント（１）は、一組以上のプラグ受け（１０）と電源スイッチ（１１）が備わり、該電源スイッチ（１１）はプラグ受け（１０）の通電・電気切断を制御できるように設けられ、それにより、使用しないとき、その安全性を向上し、不注意による感電などを避けることができる。
【０００３】
該電源スイッチのプラグ受けと電源スイッチは製造上、それぞれ独立した部品であり、図２に示すように、独立した筐体と筐体内の電子部品、プラス・マイナス端子などを有するもので、製造の際、別々に製造し、部品が多く、コストが比較的に高く、それに、組み立ても複雑で、時間がかかること、経済的側面から言えば、明らかに経済的利益に一致しないこと、特に、該電源スイッチの実施、使用時の配線はもともと、壁にある中性線、生線、接地線を更に、予定外の一本以上の分岐線に分け、専門な接続方法で接続してから電気的接続が行われることになるが、それは、使用者にとって、自ら換えるのが簡単なことでなく、専門業者に依頼する場合は、かなりの費用がかかり、使用者の悩み事になること、また、従来の電源コンセントは外観的に、あまり変化がなく、せいぜいスイッチボタンのちょっとした改良を行うだけで、全体的な外観は、やはり単調なもので、それを更に改良する必要がある。
【０００４】
上述した内容をまとめると、従来の電源コンセントの構造設計は完全なものでないため、安全上の心配があり、そして、製造面には品質や質感の向上ができないという欠点があり、そこで、製品の品質を向上させ、より安全で、実用性のある内部構造を作り上げるのが、業界がそれを改良するときの重要な課題である。
【０００５】
それゆえ、本考案の考案者がそれを開発しようと、数十年間、関連分野で積み重ねた専門知識、技術と経験を持って、研究開発に取り組み、持続的に改良を行った結果、ようやく構造が新しく、安全性が高く、製品の質感を有効に向上する電源コンセント構造の改良ができたのである。
【考案の開示】
【考案が解決しようとする課題】
【０００６】
本考案は、部品数の減少、部品の金型の統合を行うことにより、電源コンセントの組立性向上、コスト削減、組立の効率向上につながる実質的効果を持つ電源コンセント構造の改良を提供することを主な目的である。
【０００７】
本考案は、一部の部品を透明なものにして、製品品質の質感とおしゃれ感を向上させ、更に、室内環境の装飾の美的センスを高めるための電源コンセント構造の改良を提供することをもう一つの目的とする。
【０００８】
本考案は、従来の壁コンセントのパネルにも適用可能で、使用者が簡単にそれを取替られ、不必要な資源の浪費が避けられ、費用も節約できる電源コンセント構造の改良を提供することを更にもう一つの目的とする。
【課題を解決するための手段】
【０００９】
上述の目的に基づき、本考案の発明者が該電源コンセントのシェル、パネルなどの構造を一体化し、複数の電源端子、接地端子を同時に装着できるタイプに設計、それにより、組み立てや配線の接続を簡単化すると同時に、使用者が自ら既有の壁コンセントの取替えも簡単になる。具体的な実施構造として、Ｔ形のシェルが備わり、片側はＴ形シェルの横部分を見せる二つの対向した収納スロット、Ｔ形シェルの縦部分を見せる二つの対向した嵌合溝、及び二嵌合溝に挟まれている切り欠きが設けられ、他方側は、三組の線孔が設けられ、該二収納スロットと切り欠きにそれぞれ対応、それらを貫通するように設けられており、シェルの外形に合わせ、相互に結合可能なパネルが備わり、片側は、Ｔ形パネルの横部分を見せる電源スイッチの収納空間、Ｔ形パネルの縦部分を見せる複数のスロット、他方側は、一組以上配列しているプラグ受けが設けられ、一個以上のプラス極の接点があり、連続して間隔を置いてシェルの嵌合溝内に設けられ、そして、一個以上のマイナス極の接点があり、連続して間隔を置いてシェルのもう一つの嵌合溝内に設けられてなる電源端子が備わり、及び一個以上の接点があり、連続して間隔を置いて、シェルの切り欠き内に設けられてなる接地端子が備わっていることを特徴とする該電源コンセントであり、この設計により、実施上、柔軟で多様化に利用できるほかに、コスト削減も可能、資源の浪費を避けられるという多重効果がある。
【００１０】
該電源コンセントのパネルは、透明材料で設けられるから、電源コンセントに新しい視覚的イメージを持たせ、流行りや、モダンな美的なセンスにも一致するもので、室内で実施、使用されたとき、装飾的効果も向上する。
【００１１】
本考案によるほかの目的、特徴と効果は、好適な具体的実施例と図面、図面番号を合わせて次のように説明するが、それにより、具体的に深く理解できると思われる。
【図面の簡単な説明】
【００１２】
【図１】従来の電源コンセントの実施例の外観図。
【図２】図１の背面平面図。
【図３】本考案の好適な実施例の電源コンセントの分解図。
【図４】本考案の好適な実施例の電源コンセントの組立図。
【図５】本考案の好適な実施例における電源コンセントの実施例の分解図。
【図６】本考案の好適な実施例における電源コンセントの実施例の組立図。
【図７】本考案のもう一つの好適な実施例の実施例図。
【考案を実施するための形態】
【００１３】
図３に示すのは、本考案の好適な実施例の電源コンセント構造の改良であるが、Ｔ形のシェル（２０）が備わり、片側は、Ｔ形シェル（２０）の横部分を見せる二つの対向した収納スロット（２０１）、Ｔ形シェル（２０）の縦部分を見せる二つの対向した嵌合溝（２０２）、及び二嵌合溝（２０２）に挟まれている切り欠き（２０３）が設けられ、他方側は三組の線孔（２０４）（未図示）が設けられ、該二収納スロット（２０１）と切り欠き（２０３）にそれぞれ対応、それらを貫通するように設けられており、
シェル（２０）の外観に合わせ、相互に結合可能なパネル（２１）が備わり、片側は、Ｔ形パネル（２１）の横部分を見せる電源スイッチ（２１２）の収納空間（２１１）、Ｔ形パネル（２１）の縦部分を見せる複数のスロット（２１３）（未図示）、他方側は、一組以上配列しているプラグ受け（２１４）が設けられ、各組はそれぞれ中性線、生線と接地線が設置、また、該パネル（２１）は、透明材料で作られ、該電源スイッチ（２１２）はプラグ受け（２１４）の通電・電気切断を制御するのに用いられており、
一個以上のプラス極の接点（２２１）があり、連続して間隔を置いてシェル（２０）の嵌合溝（２０２）内に設けられ、そして、一個以上のマイナス極の接点（２２２）があり、連続して間隔を置いてシェル（２０）のもう一つの嵌合溝（２０２）内に設けられてなる電源端子（２２）が備わり、及び
一個以上の接点（２３１）があり、連続して間隔を置いて、シェル（２０）の切り欠き（２０３）内に設けられてなる接地端子（２３）が備わっていることを特徴とする該電源コンセント（２）。
【００１４】
図４に示すのは、本考案の好適な実施例の電源コンセントの外観図で、組み立ての際、電源端子（２２）と接地端子（２３）をそれぞれ、一つずつシェル（２０）の嵌合溝（２０２）と切り欠き（２０３）に、電源スイッチ（２１２）をパネル（２１）の収納空間（２１１）内に装着、組み立てを完了させるが、該パネル（２１）は、透明材料で作られたもので、組立完了の電源コンセント（１）は、パネル（２１）から見られる内部の電源端子（２２）、接地端子（２３）などの配置により、視覚的に新しいイメージを与え、流行りやモダンな美的センスにも一致している。
【００１５】
図５に示すのは、本考案の好適な実施例の電源コンセントの実施例分解図で、図示のように、該電源コンセント（１）はまた、金属フレーム（３）、仕切板（４）と飾り板（５）を備えてなり、該金属フレーム（３）は、電源コンセント（１）の四周を完全に嵌めるように包み、詳しく言えば、シェル（２０）とパネル（２１）を分離させるように嵌め、固定させるように設けられており、実施の際、該シェル（２０）とパネル（２１）の周りに対応の凸部（２０５，  ２１５）が設けられ、そしてパネル（２１）の凸部（２１５）上方に浅い溝（２１６）、金属フレーム（３）に一体成形された複数の止め輪部（３０）が設けられ、シェル（２０）とパネル（２１）の凸部（２０５，  ２１５）に対応し、それらを完全に止めるように設けられ、また、各止め輪部（３０）の上方は、浅い溝（２１６）に係止するための内側に起曲したツメ部（３１）が設けられ、それにより、シェル（２０）とパネル（２１）がよりしっかりと係止されるようになるが、該仕切板（４）の真ん中に電源コンセント（１）が通れるスロット（４０）、そして、該スロット（４０）の対向した側に分布する複数の固定孔（４１）が設けられ、それによりネジ（ボルト）でネジ締めまたは鋼釘で貫通して、壁にあるプリセットされた壁穴に止めるようにするが、該仕切板（４）は、金属フレーム（３）と結合して、電源コンセント（１）と一体化するようになるが、実施の際、金属フレーム（３）の曲がり角に近い所にそれぞれ突出した穿設部（３２）が設けられ、仕切板（４）の内側の対応位置にプリセットソケット（未図示）を穿設して位置決められるようになるが、該飾り板（５）は表面が滑らかプレートで、電源コンセント（１）の四周に合わせるスルーホール（５０）、内側の曲がり角に近い所に分布するストッパー（５１）を備えてなり、それより、仕切板（４）の表面の対応位置にある貫通穴（４２）に嵌められ、該飾り板（５）と仕切板（４）を結合、一体化にする。
【００１６】
図６に示すのは、本考案の好適な実施例の電源コンセントの実施例組立図で、組立の際、金属フレーム（３）を、電源コンセント（１）の四周に嵌め、それから、仕切板（４）、飾り板（５）という順次で結合させ、一般家庭内に利用される壁コンセントが完成。
【００１７】
図７に示すのは、本考案のもう一つの好適な実施例の実施例図で、本考案の電源コンセント（１）は、金属フレーム（３）、仕切板（４）、飾り板（５）の設計を行えるほかに、直接に従来の壁コンセント内に利用されるものであり、該電源コンセント（１）のサイズは、既存のコンセントのサイズと同様であるため、従来の壁コンセントの飾り板と仕切板の真ん中部に一致し、この実施により、柔軟で多様化に利用できる効果があると同時に、コスト削減が可能、資源の浪費をも避けられる。
【００１８】
上述の内容をまとめると、本考案の電源コンセント構造の改良により、予定の目標が確実に達成、効果が顕著に向上されること、そして、関連資料を調べたところ、同じものがないという新規性があるものだと確認したので、法的規定により、出願資料を提出、申請するわけである。
【００１９】
ただし、上述した内容は、本考案の好適な実施例に関する説明のみで、それを以って、本考案の実用新案登録請求の範囲を制限してはならず、この分野が分かる者が、それらの変化や改造などを行っても、すべて本考案の実質内容と一致したものとみなす。
【符号の説明】
【００２０】
（２）    電源コンセント
（３）    金属フレーム
（４）    仕切板
（５）    飾り板
（２１）  パネル
（２０）  シェル
（２２）  電源端子
（２３）  接地端子
（３０）  止め輪部
（３１）  ツメ部
（３２）  穿設部
（４０）  スロット
（４１）  固定孔
（４２）  貫通穴
（５０）  スルーホール
（５１）  ストッパー
（２０１）収納スロット
（２０２）嵌合溝
（２０３）切り欠き
（２０４）線孔
（２０５）凸部
（２１１）収納空間
（２１２）電源スイッチ
（２１３）スロット
（２１４）プラグ受け
（２１５）凸部
（２１６）浅い溝
（２２１）プラス極の接点
（２２２）マイナス極の接点
（２３１）接点
【図１】
0003172606.tif 000003
【図２】
0003172606.tif 000004
【図３】
0003172606.tif 000005
【図４】
0003172606.tif 000006
【図５】
0003172606.tif 000007
【図６】
0003172606.tif 000008
【図７】
0003172606.tif 000009
【手続補正書】
【提出日】平成23年10月24日(2011.10.24)
【手続補正１】
【補正対象書類名】実用新案登録請求の範囲
【補正対象項目名】全文
【補正方法】変更
【補正の内容】
【実用新案登録請求の範囲】
【請求項１】
Ｔ形のシェルが備わり、片側はＴ形シェルの横部分に備えられた二つの対向した収納スロット、Ｔ形シェルの縦部分に備えられた二つの対向した嵌合溝、及び二嵌合溝に挟まれている切り欠きが設けられ、他方側は、三組の線孔が設けられ、該二収納スロットと切り欠きにそれぞれ対応、それらを貫通するように設けられており、
シェルの外形に合わせ、相互に結合可能なパネルが備わり、片側は、Ｔ形パネルの横部分に備えられた電源スイッチの収納空間、Ｔ形パネルの縦部分に備えられた複数のスロット、他方側は、一組以上配列しているプラグ受けが設けられており、
一個以上のプラス極の接点があり、連続して間隔を置いてシェルの嵌合溝内に設けられ、そして、一個以上のマイナス極の接点があり、連続して間隔を置いてシェルのもう一つの嵌合溝内に設けられてなる電源端子が備わり、及び
一個以上の接点があり、連続して間隔を置いて、シェルの切り欠き内に設けられてなる接地端子が備わっていることを特徴とする電源コンセント。
【請求項２】
電源接点のプラス極、マイナス極の接点は、電源スイッチに接続するものが含まれていることを特徴とする請求項１に記載の電源コンセント。
【請求項３】
該パネルは、透明材料で作られていることを特徴とする請求項１または２に記載の電源コンセント。
【請求項４】
各組のプラグ受けはすべて、中性線、生線と接地線が設けられていることを特徴とする請求項１または２に記載の電源コンセント。
【手続補正３】
【補正対象書類名】明細書
【補正対象項目名】０００９
【補正方法】変更
【補正の内容】
【０００９】
上述の目的に基づき、本考案者が該電源コンセントのシェル、パネルなどの構造を一体化し、複数の電源端子、接地端子を同時に装着できるタイプに設計、それにより、組み立てや配線の接続を簡単化すると同時に、使用者が自ら既有の壁コンセントの取替えも簡単になる。具体的な実施構造として、Ｔ形のシェルが備わり、片側はＴ形シェルの横部分に備えられた二つの対向した収納スロット、Ｔ形シェルの縦部分に備えられた二つの対向した嵌合溝、及び二嵌合溝に挟まれている切り欠きが設けられ、他方側は、三組の線孔が設けられ、該二収納スロットと切り欠きにそれぞれ対応、それらを貫通するように設けられており、シェルの外形に合わせ、相互に結合可能なパネルが備わり、片側は、Ｔ形パネルの横部分に備えられた電源スイッチの収納空間、Ｔ形パネルの縦部分に備えられた複数のスロット、他方側は、一組以上配列しているプラグ受けが設けられ、一個以上のプラス極の接点があり、連続して間隔を置いてシェルの嵌合溝内に設けられ、そして、一個以上のマイナス極の接点があり、連続して間隔を置いてシェルのもう一つの嵌合溝内に設けられてなる電源端子が備わり、及び一個以上の接点があり、連続して間隔を置いて、シェルの切り欠き内に設けられてなる接地端子が備わっていることを特徴とする該電源コンセントであり、この設計により、実施上、柔軟で多様化に利用できるほかに、コスト削減も可能、資源の浪費を避けられるという多重効果がある。